(57)【要約】  装置の小型化を可能とし、装置の外部へ取り出される光量の損失を小さくする。波長変換部材（７）と、光導入口（ＥＮＴ）と、光取り出し口（ＥＸＴ）と、光導入口（ＥＮＴ）と対向する位置に配置され、光導入口（ＥＮＴ）から導入されたレーザ光の光路を変更するミラー（５）と、を備え、光導入口（ＥＮＴ）とミラー（５）とを通る直線が、波長変換部材（７）と光取り出し口（ＥＸＴ）との間に位置する。
2016208288.tif 000002
【特許請求の範囲】
【請求項１】
少なくとも１つのレーザ素子から出射されたレーザ光を受けて波長変換された光を出射する波長変換部材と、
上記レーザ光が導入される少なくとも１つの光導入口と、
上記波長変換部材から出射される光を外部へ取り出すための光取り出し口と、
上記光導入口と対向する位置に配置され、上記光導入口から導入されたレーザ光の光路を上記波長変換部材に向けて変更する少なくとも１つの光路変更部材と、を備え、
上記光導入口と上記光路変更部材とを通る直線が、上記波長変換部材と上記光取り出し口との間に位置することを特徴とする発光装置。
【請求項２】
上記直線は、上記波長変換部材の光出射側の面における何れかの位置に立てた垂線と交わることを特徴とする請求項１に記載の発光装置。
【請求項３】
上記直線は、上記波長変換部材の光出射側の面に対して略平行であることを特徴とする請求項１または２に記載の発光装置。
【請求項４】
上記光取り出し口の近傍に設置され、上記波長変換部材から出射される光を外部へ投影する投影レンズを備えることを特徴とする請求項１から３までの何れか１項に記載の発光装置。
【請求項５】
上記レーザ素子、上記光導入口および上記光路変更部材を、それぞれ複数備えていることを特徴とする請求項１から４までの何れか１項に記載の発光装置。
【請求項６】
上記光導入口および上記光取り出し口を備え、上記波長変換部材を覆うカバー部材を備え、
上記複数の上記光導入口は、共に、上記カバー部材の同一面に設けられていることを特徴とする請求項５に記載の発光装置。
【請求項７】
請求項１から６までの何れか１項に記載の発光装置を制御する制御システムであって、
上記光路変更部材の上記光導入口が存在する側と反対側に配置され、上記光路変更部材を透過した光を検知する検知部と、
上記検知部が検知した光の光量に応じて、上記レーザ素子から出射されるレーザ光の光量を調整する光源制御部と、を備えていることを特徴とする制御システム。
【請求項８】
請求項１から６までの何れか１項に記載の発光装置を制御する制御システムであって、
上記光路変更部材によって光路が変更されたレーザ光の上記波長変換部材の光出射側の面に対する入射位置を変更するように、上記光路変更部材を駆動する駆動部と、
上記駆動部の動作を制御する駆動部制御部と、を備えていることを特徴とする制御システム。
【発明の詳細な説明】
【技術分野】
【０００１】
本発明は、レーザ光を受けて波長変換された光を出射する波長変換部材を備えた発光装置および当該発光装置を制御する制御システムに関する。
【背景技術】
【０００２】
近年、励起光源として半導体レーザ（ＬＤ；Laser Diode）等のレーザ素子を用い、レーザ素子から出射されたレーザ光を、蛍光体発光部などの波長変換部材に照射することによって発生する蛍光を照明光として用いる発光装置が提案されている。ＬＤを用いた発光装置は、ＬＥＤ（Light Emitting Diode）を用いた発光装置に比べて、蛍光体発光部とＬＤ部との分離が可能となるので、蛍光体発光部の小型化、低発熱というメリットがある。【０００３】
以上のようなＬＤを用いた発光装置の一例が、特許文献１に開示されている。この発光装置は、ＬＤの入射方向と蛍光体発光部からの発光方向が同一方向である、いわゆる反射型の発光装置であり、図９に示すように、ＬＤと、ＬＤから出射された青色光を受けて混色作用により白色光を出射する蛍光体と、蛍光体の後方から上方にかけて当該蛍光体を覆うように配設され、当該蛍光体から出射された光を装置の前方へ反射させる反射面を有するリフレクタと、該リフレクタで反射された光を外部へ投光する投影レンズと、を備えている。
【先行技術文献】
【特許文献】
【０００４】
【特許文献１】日本国公開特許公報「特開２０１２−１６４５８５号公報（２０１２年８月３０日公開）」
【発明の概要】
【発明が解決しようとする課題】
【０００５】
しかしながら、上記特許文献１に記載の技術には以下のような問題点がある。例えば、上記特許文献１に開示された発光装置では、投影レンズが存在する光取り出し側と蛍光体が存在する発光側との間の距離が大きい構造のため、装置の小型化に限界があるという問題点がある。【０００６】
また、上記のように光取り出し側と発光側との間の距離が大きい構造であると、光取り出し側から装置の外部へ取り出される光量の損失が大きくなってしまうという問題点もある。【０００７】
本発明は、以上の問題点に鑑みて為されたものであり、その目的は、装置の小型化を可能とし、装置の外部へ取り出される光量の損失を小さくすることができる発光装置などを提供することにある。
【課題を解決するための手段】
【０００８】
上記の課題を解決するために、本発明の一態様に係る発光装置は、少なくとも１つのレーザ素子から出射されたレーザ光を受けて波長変換された光を出射する波長変換部材と、上記レーザ光が導入される少なくとも１つの光導入口と、上記波長変換部材から出射される光を外部へ取り出すための光取り出し口と、上記光導入口と対向する位置に配置され、上記光導入口から導入されたレーザ光の光路を上記波長変換部材に向けて変更する少なくとも１つの光路変更部材と、を備え、上記光導入口と上記光路変更部材とを通る直線が、上記波長変換部材と上記光取り出し口との間に位置することを特徴としている。
【発明の効果】
【０００９】
本発明の一態様によれば、装置の小型化を可能とし、装置の外部へ取り出される光量の損失を小さくすることができるという効果を奏する。
【図面の簡単な説明】
【００１０】
【図１】（ａ）は、本発明の実施形態１に係る発光装置の構造を示す側面図であり、（ｂ）は、上記発光装置の変形例の構造を示す側面図である。
【図２】（ａ）は、上記発光装置を光取り出し口の側から見たときの構造を示す上面図であり、（ｂ）は、比較例Ａの発光装置の上面図である。
【図３】（ａ）は、上記実施形態１に係る発光装置の構造を示す側面図であり、（ｂ）は、比較例Ｂの発光装置の構造を示す側面図であり、（ｃ）は、比較例Ｃの発光装置の構造を示す側面図である。
【図４】（ａ）は、本発明の実施形態２に係る発光装置の構造を示す側面図であり、（ｂ）は、上記発光装置の変形例の構造を示す側面図である。
【図５】本発明の実施形態３に係る発光装置の構造を示す上面図である。
【図６】（ａ）は、本発明の実施形態４に係る発光装置の構造を示す上面図であり、（ｂ）は、（ａ）に示す発光装置のＡ‐Ａ’断面の断面図であり、（ｃ）は、（ａ）に示す発光装置のＢ‐Ｂ’断面の断面図である。
【図７】本発明の実施形態５に係る制御システムの構造を示す側面図である。
【図８】本発明の実施形態６に係る制御システムの構造を示す側面図である。
【図９】従来の反射型の発光装置の構造を示す側面図である。
【発明を実施するための形態】
【００１１】
本発明の実施の形態について、図１〜図８に基づいて説明すれば以下の通りである。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。
【００１２】
〔実施形態１〕
まず、図１の（ａ）を参照して、本発明の実施形態１に係る発光装置１００ａについて説明する。図１の（ａ）は、発光装置１００ａの構造を示す側面図である。同図に示すように、発光装置１００ａは、レーザ素子１、光ファイバ２、ヒートシンク１１および放熱フィン１２からなるＬＤ部と、それ以外の発光部１０とからなる。また、発光部１０は、主として波長変換部材７が設置されるベースプレート９とカバー部材８とを備えている。より詳細には、発光部１０は、集光レンズ３ａ、レンズ支持部材４、ミラー（光路変更部材）５、ミラー支持部材６、波長変換部材７、カバー部材８、およびベースプレート９を備える。
【００１３】
（レーザ素子１）
レーザ素子１は、レーザ光（励起光）を出射する励起光源として機能する素子である。本実施形態では、レーザ素子１としてＬＤ（Laser Diode）を例にとって説明するが、これに限定されず、レーザ光を出射する素子であれば、どのような素子であっても良い。レーザ素子１は、１チップに１つの発光点を有するものであってもよく、１チップに複数の発光点を有するものであっても良い。また、レーザ素子１は複数個のＬＤからなるＬＤモジュールであっても良い。レーザ素子１は電極端子（不図示）を備え、当該電極端子には配線（不図示）が接続されている。配線および電極端子を介して、電力がレーザ素子１に供給される。
【００１４】
レーザ素子１は、例えば直径５．６ｍｍの金属パッケージに実装され、１個あたりの出力は１Ｗで、波長４４５ｎｍのレーザ光Ｌ１を発振する。なお、発振波長はこれに限定されず、レーザ素子１は、４４０ｎｍ以上４９０ｎｍ以下の波長範囲にピーク波長を有する、いわゆる青色近傍のレーザ光を発振してもよい。波長４０５ｎｍ付近の青紫色近傍のレーザ光でもよい。上記発振波長は、波長変換部材７に含める蛍光体の種類等に応じて適宜選択すれば良い。また、レーザ素子１は、光ファイバ２によって、発光部１０と光学的に結合されており、これにより、レーザ素子１は、発光部１０から分離された構造を為している。このため、発光部１０の小型化、低発熱というメリットがある。なお、レーザ素子１は直径９ｍｍの金属パッケージなど種々の形態のものを用いることができる。
【００１５】
（光ファイバ２）
光ファイバ２は、レーザ素子１から出射されたレーザ光Ｌ１を後述するカバー部材８の光導入口ＥＮＴへと導く導光部材である。この光ファイバ２は、レーザ素子１から出射されたレーザ光Ｌ１を受け取る入射端部２ａと、入射端部２ａから入射したレーザ光Ｌ１を出射する出射端部２ｂとを有する。光ファイバ２の入射端部２ａは、レーザ素子１のレーザ光出射部（上述した発光点の近傍）に接続され、光ファイバ２の出射端部２ｂは、カバー部材８の光導入口ＥＮＴに接続されている。レーザ光出射部と光ファイバ２の間に光学的結合を行いやすくするためにレンズなどの光学部材があってもよい。
【００１６】
また、光ファイバ２は、中芯のコアを、当該コアよりも屈折率の低いクラッドで覆った２層構造をしている。コアは、レーザ光Ｌ１の吸収損失がほとんどない石英ガラス（酸化ケイ素）を主成分とするものである。クラッドは、コアよりも屈折率の低い石英ガラスまたは合成樹脂材料を主成分とするものである。例えば、光ファイバ２は、コアの一辺が２００μｍ、クラッドの径が８００μｍ、開口数ＮＡが０．１の石英製の、いわゆる矩形コア型の光ファイバである。光ファイバ２の構造、太さおよび材質は上述したものに限定されず、コアの光ファイバ２の長軸方向に対して垂直な断面が矩形であっても、円形であっても良い。光ファイバ２以外にもロットレンズなど種々の導光部材を用いることができる。なお、光ファイバ２などの導光部材を用いずに直接集光レンズ３ａにレーザ光Ｌ１を入射させても構わない。
【００１７】
（集光レンズ３ａ）
レーザ光Ｌ１をミラー５に効率良く照射させるために、本実施形態のように、集光レンズ３ａを有していることが好ましい。集光レンズ３ａは、光導入口ＥＮＴから入射したレーザ光Ｌ１のビーム径を調整（例えば、縮小）するものである。本実施形態の集光レンズ３ａは、ベースプレート９上において、カバー部材８の光導入口ＥＮＴと、後述するミラー５（または波長変換部材７）との間に配置されている。集光レンズ３ａとしては、例えば、直径２ｍｍの非球面凸レンズが用いられる。集光レンズ３ａは、光ファイバ２の出射端部２ｂから出射されたレーザ光Ｌ１をレンズ入射面で受け、レンズ入射面で受けたレーザ光Ｌ１のビーム径および光路を制御する。そして、当該制御されたレーザ光Ｌ１を収束光として、レンズ出射面からミラー５へと出射する。
【００１８】
また、光ファイバ２の出射端部２ｂと波長変換部材７とが光学的共役関係になるように集光レンズ３ａおよびミラー５を設置することにより、光ファイバ２の出射端部２ｂにおけるレーザ光Ｌ１の分布である近視野像が、波長変換部材７上に結像されるようにすることができる。すなわち、上記近視野像は、集光レンズ３ａおよびミラー５により、波長変換部材７上に結像される。
【００１９】
（レンズ支持部材４）
レンズ支持部材４は、レーザ光Ｌ１がミラー５で反射した反射光Ｌ１’が波長変換部材７の所望の位置に適切に照射されるように調整された位置で、集光レンズ３ａを支持するものであり、集光レンズ３ａの位置を規定するために、ベースプレート９の表面上に配置されている。また、レンズ支持部材４は、少なくとも、光ファイバ２の出射端部２ｂの光軸と、集光レンズ３ａの光軸とが略一致するように、集光レンズ３ａを支持する。上記所望の位置は、ミラー５で反射したレーザ光Ｌ１’が、波長変換部材７の受光面（または、蛍光を出射する光出射面）に照射されるように規定された位置である。すなわち、ミラー５で反射したレーザ光Ｌ１’が、波長変換部材７の受光面に照射されるように、ベースプレート９の表面上において、光ファイバ２の出射端部２ｂ、集光レンズ３ａ、ミラー５および波長変換部材７の位置が規定される。レンズ支持部材４を可動させて光学調整を行えるようにする機構を備えていても良い。また、集光レンズ３ａが他の手段によって固定される場合はレンズ支持部材４を省略することができる。
【００２０】
（ミラー５）
ミラー５は、光導入口ＥＮＴから導入され集光レンズ３ａを透過するレーザ光Ｌ１の光路を波長変換部材７に向けて変更する部材であり、レーザ光Ｌ１はミラー５の反射面で反射されて反射光Ｌ１’となる。ミラー５は、カバー部材８の内部において、集光レンズ３ａの光軸がミラー５の反射面（の実質的な中心部）を通るように光導入口ＥＮＴと対向する位置に配置されている。なお、ミラー５は波長変換部材７からの発光を妨げないように配置されることが好ましい。また、ミラー５の反射面の向きは、ミラー５で反射した反射光Ｌ１’が波長変換部材７の所望の位置に適切に照射されるように調整される。
【００２１】
（ミラー支持部材６）
ミラー支持部材６は、ミラー５で反射した反射光Ｌ１’が波長変換部材７の所望の位置に適切に照射されるように調整される位置で、ミラー５を支持するものであり、ミラー５の位置を規定するために、後述するカバー部材８の光導入口ＥＮＴが存在する内面に対向する内面の表面上に配置されている。上記所望の位置は、ミラー５で反射したレーザ光Ｌ１’が、波長変換部材７の受光面（または、蛍光を出射する光出射面）に照射されるように規定された位置である。すなわち、ミラー５で反射したレーザ光Ｌ１’が、波長変換部材７の受光面に照射されるように、カバー部材８の内部において、光ファイバ２の出射端部２ｂ、集光レンズ３ａ、ミラー５および波長変換部材７の位置が規定される。ミラー支持部材６を可動させて光学調整を行えるようにする機構を備えていても良い。
【００２２】
（波長変換部材７）
波長変換部材７は、レーザ素子１から出射されたレーザ光Ｌ１（反射光Ｌ１’）を受けて波長変換された光を出射するものであり、反射光Ｌ１’によって励起され蛍光Ｌ４を発する蛍光体（蛍光体粒子）を含んでいる。例えば、波長変換部材７は、封止材の内部に蛍光体が分散されているもの、または蛍光体を固めたもの等である。
【００２３】
本実施形態では、波長変換部材７の蛍光体として、例えば、セラミック状のＹＡＧ蛍光体を用いているが、これに限定されない。蛍光体の種類は、レーザ光Ｌ１の波長とともに選択されればよい。ここでは蛍光Ｌ４とレーザ光Ｌ１の散乱光が混色されて白色の照明光となる。
【００２４】
波長変換部材７の封止材は、例えば、ガラス材（無機ガラス、有機無機ハイブリッドガラス）、シリコーン樹脂等の樹脂材料である。ガラス材として低融点ガラスを用いても良い。封止材は、透明性の高いものが好ましく、レーザ光Ｌ１が高出力の場合には、耐熱性の高いものが好ましい。
【００２５】
（カバー部材８）
カバー部材８は、レーザ光Ｌ１が導入される光導入口ＥＮＴ、および波長変換部材７から出射される蛍光Ｌ４を外部へ取り出すための光取り出し口ＥＸＴを備え、波長変換部材７の蛍光Ｌ４の光出射側および側面側の少なくとも一部を覆うものである。
【００２６】
なお、カバー部材８は、以上のように単に波長変換部材７を覆うものに限定されず、発光装置１００ａが備える各構成を格納する筐体の一部であっても良い。
【００２７】
カバー部材８は、レーザ光の外部への漏洩防止、波長変換部材７の保護などの機能を有する。光ファイバ２の出射端部２ｂの先端は、光導入口ＥＮＴの近傍に取り付けられている。光導入口ＥＮＴは、カバー部材８の一つの側面に設けられており、光取り出し口ＥＸＴは、カバー部材８の上面に設けられている。カバー部材８の底面側には、ベースプレート９が設けられている。カバー部材８の上面における光取り出し口ＥＸＴの形成位置、および光取り出し口ＥＸＴのサイズは、波長変換部材７から出射される蛍光Ｌ４の配光に応じて、適切な位置、および適切なサイズに設定されている。なお、光導入口ＥＮＴは必ずしも穴状（空洞を有する）とは限らず、光ファイバ２との接続（結合）部があれば良い。例えばＳＭＡ（Sub Miniature Type A）コネクタなどの形態を取ることができる。また、光取り出し口ＥＸＴも光導入口ＥＮＴと同様必ずしも空洞であるとは限らず、窓ガラスなどを設けることもできる。
【００２８】
また、本実施形態では、光導入口ＥＮＴ（の実質的な中心部）とミラー５（の反射面の実質的な中心部）とを通る直線（または光導入口ＥＮＴからミラー５に至る光路）が、波長変換部材７と光取り出し口ＥＸＴとの間に位置している。すなわち、光導入口ＥＮＴ（の実質的な中心部）とミラー５（の実質的な中心部）とを結ぶ仮想的な直線が、波長変換部材７と光取り出し口ＥＸＴとの間に位置する(間の空間を横切る)ように、光導入口ＥＮＴ、ミラー５、波長変換部材７、および光取り出し口ＥＸＴが配置されている。この結果、集光レンズ３ａを通過したレーザ光Ｌ１は波長変換部材７から出射される蛍光Ｌ４と交差することになる。なお、カバー部材８は図１などに示すようにベースプレート９上に設けられている必要はなく、前述したレーザ光の外部への漏洩防止、波長変換部材７の保護などの機能を有していれば種々の形態を採ることができる。光導入口ＥＮＴと光取り出し口ＥＸＴについても、図１などに示すようにカバー部材８に付随する形態で設けられている必要はない。集光レンズ３ａへ入射するレーザ光Ｌ１が空間に出射される位置が機能的に光導入口ＥＮＴであり、蛍光Ｌ４が発光部１０より外側の空間へ出射される箇所が機能的に光取り出し口ＥＸＴである。
【００２９】
（ベースプレート９）
ベースプレート９は、集光レンズ３ａ（集光レンズ３ａを支持するレンズ支持部材４）、および波長変換部材７が配置される板状の支持部材（基板）である。ベースプレート９は、例えば、金属（アルミニウム、ステンレス、銅または鉄）等の熱伝導性の高い材料からなる金属製支持部材である。このベースプレート９は、波長変換部材７を載置する面（載置面）を有しており、波長変換部材７はこの載置面に当接した状態で載置される。そのため、ベースプレート９は、波長変換部材７の発熱を効率的に伝導して放熱することができる。なお、ベースプレート９は、金属からなるものに限定されず、金属以外の熱伝導性が高い物質（セラミックス等）を含む部材でも良い。
【００３０】
また、図示はしないが、ベースプレート９は放熱フィンを備えていても良い。この放熱フィンは、ベースプレート９を冷却する冷却部として機能する。放熱フィンは、複数の放熱板を有するものであり、大気との接触面積を増加させることにより放熱効率を高める。ベースプレート９を冷却する冷却部は、冷却（放熱）機能を有するものであればよく、例えば、放熱フィンの代わりに、ペルチェ素子などの冷却機構を取付けることもできる。
【００３１】
（ヒートシンク１１、放熱フィン１２）
次に、レーザ素子１は、ヒートシンク１１と接続されている。ヒートシンク１１は、レーザ素子１で発生した熱を、放熱フィン１２等を介して放熱する。このため、ヒートシンク１１には、熱伝導率の高いアルミニウム等の金属材料を用いることが好ましい。
【００３２】
また、放熱フィン１２は、ヒートシンク１１に設けられており、ヒートシンク１１の熱を空気中に放熱させる放熱機構として機能する。放熱フィン１２は、複数の放熱板を有するものであり、大気との接触面積を増加させることにより放熱効率を高めている。なお、放熱フィン１２には、ヒートシンク１１と同様に、熱伝導率の高い材料を用いることが好ましい。
【００３３】
（発光装置１００ａの効果）
上述した発光装置１００ａによれば、光取り出し口ＥＸＴと波長変換部材７との間の空間を光学部品等が存在しない空間とすることで、波長変換部材７と光取り出し口ＥＸＴとの間の距離を小さくすることができるので、発光装置１００ａを小型化することが可能になる。また、以上のように光取り出し口ＥＸＴと波長変換部材７との間の空間を光学部品等が存在しない空間とし、かつ波長変換部材７と光取り出し口ＥＸＴとの間の距離を小さくすることができるので、光取り出し口ＥＸＴから外部へ取り出される光量の損失を小さくすることができる。これにより、発光装置１００ａの外部へ取り出される光量の損失を小さくすることができる。
【００３４】
以上により、発光装置１００ａの小型化を可能とし、発光装置１００ａの外部へ取り出される光量の損失を小さくすることができる。
【００３５】
〔変形例〕
次に、図１の（ｂ）に基づき、変形例の発光装置１００ｂの構造について説明する。本変形例の発光装置１００ｂは、集光レンズ３ｂを光導入口ＥＮＴの近傍において、光ファイバ２の出射端部２ｂと共に設けている点で、上述した発光装置１００ａと異なっている。発光装置１００ｂによれば、光導入口ＥＮＴとミラー５（または波長変換部材７）との間に他の光学部品等が存在しない空間が形成されるため、光導入口ＥＮＴとミラー５との間の距離をより小さくすることができる。
【００３６】
〔比較例Ａとの比較〕
次に、図２に基づき、上述した発光装置１００ａのより好ましい形態について説明し、その後、当該形態と比較例Ａとを比較した結果について説明する。図２の（ａ）は、発光装置１００ａを光取り出し口ＥＸＴの側から見たときの構造を示す上面図（内部構造を示すためにカバー部材８の天井部を取り除いた上面図）である。
【００３７】
図２の（ａ）に示すように、光導入口ＥＮＴ（の実質的な中心部）とミラー５（の反射面の実質的な中心部）とを通る直線が、波長変換部材７の光出射側の面（または受光面）における何れかの位置に立てた垂線と交わる〔光出射側の面（または受光面）の直上（上側空間）を通過する〕ことが好ましい。これにより、光取り出し口ＥＸＴ側から見たときの上記直線と垂直な方向に対するカバー部材８の幅Ｗを小さくすることができる。
【００３８】
次に、図２の（ｂ）は、比較例Ａの発光装置の上面図である。例えば、図２の（ｂ）に示す比較例Ａように、上記直線が、波長変換部材７の光出射側の面（または受光面）の直上に無い構造の場合、光取り出し口ＥＸＴ側から見たときの上記直線と垂直な方向に対するカバー部材８の幅Ｗｒｅｆは、上述した幅Ｗと比較して大きくなってしまう。
【００３９】
〔比較例Ｂ、Ｃとの比較〕
次に、図３に基づき、上述した発光装置１００ａのより好ましい形態について説明し、その後、当該形態と、比較例Ｂ、Ｃとを比較した結果について説明する。図３の（ａ）は、発光装置１００ａの構造を示す側面図である。同図に示すように、光導入口ＥＮＴ（の実質的な中心部）とミラー５（の反射面の実質的な中心部）とを通る直線は、波長変換部材７の光出射側の面に対して略平行であることが好ましい。言い換えれば、波長変換部材７の光出射側の面、上記直線、および光取り出し口ＥＸＴは互いに略平行であることが好ましい。これにより、上記直線が波長変換部材７の光出射側の面に対して略平行でない場合と比較して、波長変換部材７と光取り出し口ＥＸＴとの距離ｈをより小さくすることができる。
【００４０】
次に、図３の（ｂ）は、比較例Ｂの発光装置の構造を示す側面図であり、図３の（ｃ）は、比較例Ｃの発光装置の構造を示す側面図である。比較例Ｂ、Ｃはミラーを備えていない点で、発光装置１００ａと異なっている。
【００４１】
例えば、図３の（ａ）に示す発光装置１００ａは、図３の（ｂ）に示す比較例Ｂの発光装置と比べると発光面である波長変換部材７の光出射側の面から光取り出し口ＥＸＴまでの距離ｈを小さくすることができる。距離ｈを小さくできると光取り出し口ＥＸＴの幅ｄを大きくせずとも波長変換部材７からの発光を有効に外部に取り出して利用することができる。比較例Ｂでは距離ｈｒｅｆが距離ｈより大きくなるために、装置サイズを同じにするために発光装置１００ａと同じ幅ｄとした際に、外部に取り出せる光量が少なくなってしまう。また、発光装置１００ａはカバー部材８のサイズを小さくできるため、装置の小型・軽量・低コスト化が可能となる。
【００４２】
次に、図３の（ｃ）に示す比較例Ｃの発光装置では、距離ｈｒｅｆを距離ｈよりも小さくすることが可能であるが、配光形状が対称でなくなるため照明装置として利用する際に差支えがある可能性がある。
【００４３】
〔実施形態２〕
次に、図４の（ａ）を参照して、本発明の実施形態２に係る発光装置２００ａについて説明する。図４の（ａ）は、発光装置２００ａの構造を示す側面図である。本実施形態の発光装置２００ａは、光取り出し口ＥＸＴの近傍（上部）に設置された投影レンズ１３ａを備えている点で、上述した発光装置１００ａと異なっている。投影レンズ１３ａは、波長変換部材７から出射される光を外部へ投影するものである。これにより、光取り出し口ＥＸＴから取り出される光の配光を投影レンズ１３ａで制御することが可能になる。
【００４４】
上記実施形態１で述べたように発光装置２００ａによれば、波長変換部材７からの発光を小さな幅Ｗで効率良く得ることができる〔図２の（ａ）参照〕。このため本実施形態のように配光制御用の投影レンズ１３ａを設けた際も光を有効利用することができる。また、上述した比較例Ｃのように非対称な配光形状になることもなく、小型化することも可能となる。また、上記実施形態１で述べたように光取り出し口ＥＸＴの幅ｄを小さくできることにより、投影レンズ１３ａのサイズも小さくすることができ、したがって、装置の小型・軽量・低コスト化が可能となる。カバー部材８の内部を封止する際には小さい投影レンズ１３ａの方が確実にシールできるという利点もある。また、発光装置２００ａによれば、投影レンズ１３ａの底面を波長変換部材７の光出射側の面と略平行に保った上で、光取り出し口ＥＸＴと波長変換部材７の光出射側の面との間の距離を小さくできる。
【００４５】
（発光装置２００ａの効果）
上述した発光装置２００ａによれば、光取り出し口ＥＸＴと波長変換部材７との間の空間を光学部品等が存在しない空間とすることで、波長変換部材７と光取り出し口ＥＸＴとの間の距離を小さくすることができるので、発光装置２００ａを小型化することが可能になる。また、以上のように光取り出し口ＥＸＴと波長変換部材７との間の空間を光学部品等が存在しない空間とし、かつ波長変換部材７と光取り出し口ＥＸＴとの間の距離を小さくすることができるので、光取り出し口ＥＸＴから外部へ取り出される光量の損失を小さくすることで投影レンズ１３ａに光がロスなく効率良く取り込まれる。これにより、発光装置２００ａの外部へ取り出される光量の損失を小さくすることができる。以上により、発光装置２００ａの小型化を可能とし、発光装置２００ａの外部へ取り出される光量の損失を小さくすることができる。
【００４６】
〔変形例〕
次に、図４の（ｂ）に基づき、変形例の発光装置２００ｂの構造について説明する。本変形例の発光装置２００ｂは、投影レンズ１３ｂが光取り出し口ＥＸＴに嵌め込まれて保持されている点で、上述した発光装置２００ａと異なっている。発光装置２００ｂによれば、投影レンズ１３ｂが光取り出し口ＥＸＴに嵌め込まれている分だけ、投影レンズ１３ｂの頂上から波長変換部材７の光出射側の面までの距離を小さくすることができる。
【００４７】
〔実施形態３〕
次に、図５を参照して、本発明の実施形態３に係る発光装置３００について説明する。図５は、発光装置３００の構造を示す側面図である。本実施形態の発光装置３００は、２つのレーザ素子１、２つの光導入口ＥＮＴ１，ＥＮＴ２、および、２つのミラー５を備えている点で、上述した発光装置１００ａと異なっている。光導入口ＥＮＴ１，ＥＮＴ２は、それぞれカバー部材８の９０°異なる２側面に設けられている。各光導入口と、ミラー５、波長変換部材７、および光取り出し口ＥＸＴとのそれぞれの位置関係は実施形態１の発光装置１００ａと同様である。
【００４８】
発光装置３００によれば、レーザ素子１を２セット用いることができるので波長変換部材７を励起するパワーを高めることができ、より高輝度、高光束の光を得ることができる。また、１セットのレーザ光Ｌ１を用いてそのパワーを高めるよりも波長変換部材７への照射パターンの自由度を高めることができる。複数方向から照射することで波長変換部材７中の蛍光体粒子への照射偏りが低減され、蛍光体の効率、信頼性を高めることができる。２つのレーザ光Ｌ１による２光線の重ね合わせパターンを制御することで、配光パターンを制御することも可能となる。さらに、１セットのレーザ光Ｌ１を用いてそのパワーを高める際には、ミラー５の耐性が十分でなく損傷することもある。本実施形態のように複数セットのレーザ光Ｌ１を用いることで、そのようなことを防ぐことができる。
【００４９】
（発光装置３００の効果）
上述した発光装置３００によれば、光取り出し口ＥＸＴと波長変換部材７との間の空間を光学部品等が存在しない空間とすることで、波長変換部材７と光取り出し口ＥＸＴとの間の距離を小さくすることができるので、発光装置３００を小型化することが可能になる。また、以上のように光取り出し口ＥＸＴと波長変換部材７との間の空間を光学部品等が存在しない空間とし、かつ波長変換部材７と光取り出し口ＥＸＴとの間の距離を小さくすることができるので、光取り出し口ＥＸＴから外部へ取り出される光量の損失を小さくすることができる。これにより、発光装置３００の外部へ取り出される光量の損失を小さくすることができる。以上により、発光装置３００の小型化を可能とし、発光装置３００の外部へ取り出される光量の損失を小さくすることができる。
【００５０】
〔実施形態４〕
次に、図６を参照して、本発明の実施形態４に係る発光装置４００について説明する。図６の（ａ）は、発光装置４００の構造を示す側面図である。また、図６の（ｂ）は、図６の（ａ）に示す発光装置４００のＡ‐Ａ’断面の断面図であり、図６の（ｃ）は、図６（ａ）に示す発光装置４００のＢ‐Ｂ’断面の断面図である。本実施形態の発光装置４００は、２つの光導入口ＥＮＴ１，ＥＮＴ２が、共に、カバー部材８の同一の側面（同一面）に設けられていている点で、上述した実施形態３の発光装置３００と異なっている。
【００５１】
また、本実施形態では、光導入口ＥＮＴ２から導入されたレーザ光Ｌ２は、集光レンズ３ａを通過した後、ミラー１１５（第二の光路変更部材）の反射面で反射されて第１反射光Ｌ３となり、波長変換部材７の光出射側の面の上側空間を通過した第１反射光Ｌ３は、さらにミラー５（第一の光路変更部材）の反射面で反射されて第２反射光Ｌ３’となり、波長変換部材７の光出射側の面の所望の位置に入射するように構成されている。また、ミラー１１５（の実質的な中心部）とミラー５（の実質的な中心部）とを結ぶ直線が、波長変換部材７の光出射側の面と、光取り出し口ＥＸＴとの間に位置している点で、実施形態１のレーザ光Ｌ１の光路と同様の関係を有している。ミラー支持部材１１６は、ミラー１１５およびミラー５を介して進行する第２反射光Ｌ３’が波長変換部材７の所望の位置に適切に照射されるように調整された位置で、ミラー１１５を支持するものであり、ミラー１１５の位置を規定するために、ミラー５が存在する内面に対向する内面の表面上に配置されている。
【００５２】
発光装置４００によれば、複数のレーザ素子１からのレーザ光を同方向からカバー部材８に入射させることで、装置全体の小型化や取扱いを容易にすることができる。発光装置４００によれば、レーザ素子１を２セット用いることができるので波長変換部材７を励起するパワーを高めることができ、より高輝度、高光束の光を得ることができる。
【００５３】
また、１セットのレーザ光Ｌ１を用いてそのパワーを高めるよりも波長変換部材７への照射パターンの自由度を高めることができる。複数方向から照射することで波長変換部材７中の蛍光体粒子への照射偏りが低減され、蛍光体の効率、信頼性を高めることができる。２つのレーザ光Ｌ１による２光線の重ね合わせパターンを制御することで、配光パターンを制御することも可能となる。さらに、１セットのレーザ光Ｌ１を用いてそのパワーを高める際には、ミラー５の耐性が十分でなく損傷することもある。本実施形態のように複数セットのレーザ光Ｌ１を用いることで、そのようなことを防ぐことができる。レーザ素子１は必要に応じて２セットより多い数としたり、波長の異なるレーザ素子を組み合わせたりすることができる。波長変換部材７もそれに対応して複数個、複数種のものを用いても良い。
【００５４】
（発光装置４００の効果）
上述した発光装置４００によれば、光取り出し口ＥＸＴと波長変換部材７との間の空間を光学部品等が存在しない空間とすることで、波長変換部材７と光取り出し口ＥＸＴとの間の距離を小さくすることができるので、発光装置４００を小型化することが可能になる。また、以上のように光取り出し口ＥＸＴと波長変換部材７との間の空間を光学部品等が存在しない空間とし、かつ波長変換部材７と光取り出し口ＥＸＴとの間の距離を小さくすることができるので、光取り出し口ＥＸＴから外部へ取り出される光量の損失を小さくすることができる。これにより、発光装置４００の外部へ取り出される光量の損失を小さくすることができる。以上により、発光装置４００の小型化を可能とし、発光装置４００の外部へ取り出される光量の損失を小さくすることができる。
【００５５】
〔実施形態５〕
次に、図７を参照して、本発明の実施形態５に係る制御システム５００について説明する。図７は、制御システム５００の構造を示す側面図である。本実施形態の制御システム５００の発光部１０は、カバー部材８の内部において、ミラー５の光導入口ＥＮＴが存在する側と反対側に配置され、ミラー５を透過したレーザ光Ｌ１を検知する検知部１５を備えている点で、上述した実施形態２の発光装置２００ａの発光部１０と異なっている。この際、ミラー５はレーザ光Ｌ１の一部を透過することができるようになっている。検知部１５としては、フォトダイオードなどを用いることができる。検知部支持部材１６は、ミラー５を透過するレーザ光Ｌ１の一部が検知部１５に入射するように、検知部１５を支持する部材である。
【００５６】
制御システム５００は、さらに制御部１７および記憶部１８を備える。制御部１７は、例えば、ＣＰＵ（Central Process Unit）で構成され、検知部制御部１７１および光源制御部１７２を備える。検知部制御部１７１は、検知部１５の動作を制御するものであり、検知部１５が検知したミラー５を透過したレーザ光Ｌ１の光量を特定し、その特定結果を光源制御部１７２に通知する。光源制御部１７２は、レーザ素子１の動作を制御するものであり、検知部１５が検知した光の光量（上記特定結果）に応じて、レーザ素子１から出射されるレーザ光の光量を調整するようになっている。記憶部１８には、検知部制御部１７１および光源制御部１７２の動作に必要な情報が予め記録されており、検知部制御部１７１で生成される情報が事後的に記憶されるようになっている。例えば、記憶部１８には、検知部１５が検知したミラー５を透過したレーザ光Ｌ１の光量とレーザ素子１から出射されるレーザ光の光量との対応関係が規定された情報などが予め記憶されており、検知部制御部１７１が特定した検知部１５が検知したミラー５を透過したレーザ光Ｌ１の光量に係る情報が事後的に記憶される。なお、制御システム５００は、上述した実施形態１〜４の何れの発光装置を備えていても良い。
【００５７】
（制御システム５００の効果）
制御システム５００によれば、検知部１５がミラー５を透過した光を検知して、必要に応じてレーザ素子１から出射されるレーザ光の光量を調節することができる。これにより、結果的に発光装置からの光量を調光することができる。また、制御システム５００によれば、検知部１５は、カバー部材８の内部において、ミラー５の光導入口ＥＮＴが存在する側と反対側に配置されているため、検知される光量をもとにして、集光レンズ３ａ等の配置を微調整してアライメント作業を行うこともできる。また、レーザ素子１が故障した際に検知することも可能となる。
【００５８】
〔実施形態６〕
次に、図８を参照して、本発明の実施形態６に係る制御システム６００について説明する。図８は、制御システム６００の構造を示す側面図である。本実施形態の制御システム６００の発光部１０は、ミラー５によって光路が変更されたレーザ光Ｌ１’の波長変換部材７の光出射側の面に対する入射位置を変更するように、ミラー５を駆動するミラー駆動部（駆動部）６ａを備えている点で、上述した実施形態２の発光装置２００ａの発光部１０と異なっている。ミラー５は、ミラー駆動部６ａを介してミラー支持部材６に取付けられている。ミラー駆動部６ａは、ミラー５で反射されたレーザ光Ｌ１’の、波長変換部材７の受光面に照射される位置を変更するように、ミラー５の向きを変更させることが可能な部材である。
【００５９】
制御システム５００は、さらに制御部１９および記憶部１８を備える。制御部１９は、例えば、ＣＰＵで構成され、駆動部制御部１９１を備える。駆動部制御部１９１は、ミラー駆動部６ａの動作を制御するものである。駆動部制御部１９１の制御により、ミラー５で反射されたレーザ光Ｌ１’の、波長変換部材７の受光面に照射される位置を変更することが可能になっている。これにより、ミラー５で反射されたレーザ光Ｌ１’の、受光面に照射される位置を変更することができる。例えば、６０Ｈｚの周波数で回動運動させることで、ちらつきなく線状の配光を疑似的に実現することができる。ミラー５をポリゴンミラーとして回転運動させる方式を採ることもできる。
【００６０】
記憶部１８には、駆動部制御部１９１の動作に必要な情報が予め記録されている。例えば、記憶部１８には、ミラー駆動部６ａが駆動するミラー５の向きと、ミラー５で反射されたレーザ光Ｌ１’の、波長変換部材７の受光面に照射される位置との対応関係が規定された情報などが予め記憶されている。なお、制御システム６００は、上述した実施形態１〜４の何れの発光装置を備えていても良い。また、制御システム６００は、上述した制御システム５００の検知部１５、検知部支持部材１６、検知部制御部１７１、および光源制御部１７２をさらに備えていても良い。
【００６１】
（制御システム６００の効果）
制御システム６００によれば、ミラー５が駆動することで、波長変換部材７に反射光Ｌ１’が照射される位置が可変し、波長変換部材７における発光位置が変化する。このため、照射パターンがダイナミックに変化するような照明装置を実現できる。このような照明装置を車両用の前照灯に用いると、周囲情報に応じて照射パターンを変えるAdaptive Front-lighting System（ＡＦＳ）が可能となる。
【００６２】
〔まとめ〕
本発明の態様１に係る発光装置は、少なくとも１つのレーザ素子（１）から出射されたレーザ光を受けて波長変換された光を出射する波長変換部材（７）と、上記レーザ光が導入される少なくとも１つの光導入口（ＥＮＴ）と、上記波長変換部材から出射される光を外部へ取り出すための光取り出し口（ＥＸＴ）と、上記光導入口と対向する位置に配置され、上記光導入口から導入されたレーザ光の光路を上記波長変換部材に向けて変更する少なくとも１つの光路変更部材（ミラー５）と、を備え、上記光導入口と上記光路変更部材とを通る直線が、上記波長変換部材と上記光取り出し口との間に位置する構成である。
【００６３】
上記構成によれば、光取り出し口と波長変換部材との間の空間を光学部品等が存在しない空間とすることで、波長変換部材と光取り出し口との距離を小さくすることができるので、装置を小型化することが可能になる。また、以上のように光取り出し口と波長変換部材との間の空間を光学部品等が存在しない空間とし、かつ波長変換部材と光取り出し口と間の距離を小さくすることができるので、光取り出し口から外部へ取り出される光量の損失を小さくすることができる。これにより、装置の外部へ取り出される光量の損失を小さくすることができる。以上により、装置の小型化を可能とし、装置の外部へ取り出される光量の損失を小さくすることができる。
【００６４】
本発明の態様２に係る発光装置は、上記態様１において、上記直線は、上記波長変換部材の光出射側の面における何れかの位置に立てた垂線と交わることが好ましい。上記構成によれば、光取り出し口側から見たときの上記直線と垂直な方向に対するカバー部材の幅を小さくすることができる。
【００６５】
本発明の態様３に係る発光装置は、上記態様１または２において、上記直線は、上記波長変換部材の光出射側の面に対して略平行であることが好ましい。上記構成によれば、上記直線が波長変換部材の光出射側の面に対して略平行でない場合と比較して、波長変換部材と光取り出し口との間の距離をより小さくすることができる。
【００６６】
本発明の態様４に係る発光装置は、上記態様１〜３の何れかにおいて、上記光取り出し口の近傍に設置され、上記波長変換部材から出射される光を外部へ投影する投影レンズ（１３ａ）を備えていても良い。上記構成によれば、光取り出し口から取り出される光の配光を投影レンズで制御することが可能になる。
【００６７】
本発明の態様５に係る発光装置は、上記態様１〜４の何れかにおいて、上記レーザ素子、上記光導入口および上記光路変更部材を、それぞれ複数備えていても良い。上記構成によれば、レーザ素子を複数用いることができるので波長変換部材に照射されるレーザ光のパワーを高めることができ、より高輝度、高光束の光を得ることができる。また、１つのレーザ素子を用いてそのパワーを高めるよりも波長変換部材への照射パターンの自由度を高めることができる。複数方向からレーザ光を照射することで波長変換部材中の蛍光体粒子への照射偏りが低減され、波長変換部材の発光効率、および信頼性を高めることができる。また、２光線の重ね合わせパターンを制御することで、配光パターンを制御することも可能となる。さらに、１つのレーザ素子を用いてそのパワーを高める際には、光路変更部材の耐性が十分でなく損傷することもあるが、複数のレーザ素子を用いることで、そのようなことを防ぐことができる。
【００６８】
本発明の態様６に係る発光装置は、上記態様５において、上記光導入口および上記光取り出し口を備え、上記波長変換部材を覆うカバー部材を備え、上記複数の上記光導入口は、共に、上記カバー部材の同一面に設けられていても良い。上記構成によれば、複数のレーザ素子からのレーザ光を同方向からカバー部材に入射させることで、装置全体の小型化や取扱いを容易にすることができる。
【００６９】
本発明の態様７に係る制御システムは、上記態様１〜６の何れかの発光装置を制御する制御システムであって、上記光路変更部材の上記光導入口が存在する側と反対側に配置され、上記光路変更部材を透過した光を検知する検知部（１５）と、上記検知部が検知した光の光量に応じて、上記レーザ素子から出射されるレーザ光の光量を調整する光源制御部（１７２）と、を備えていても良い。上記構成によれば、検知部が光路変更部材を透過した光を検知して、必要に応じてレーザ素子から出射されるレーザ光の光量を調節することができる。これにより、結果的に発光装置から外部へ取り出される光の光量を調光することができる。また、上記構成によれば、検知部は、カバー部材の内部において、光路変更部材の光導入口が存在する側と反対側に配置されているため、検知される光量をもとにして、集光レンズ等の配置を微調整してアライメント作業を行うこともできる。また、レーザ素子が故障した際に検知することも可能となる。
【００７０】
本発明の態様８に係る制御システムは、上記態様１〜６の何れかの発光装置を制御する制御システムであって、上記光路変更部材によって光路が変更されたレーザ光の上記波長変換部材の光出射側の面に対する入射位置を変更するように、上記光路変更部材を駆動する駆動部（ミラー駆動部６ａ）と、上記駆動部の動作を制御する駆動部制御部（１９１）と、を備えていても良い。上記構成によれば、光路変更部材が駆動することで、波長変換部材にレーザ光が照射される位置が可変し、波長変換部材における発光位置が変化する。このため、照射パターンがダイナミックに変化するような照明装置を実現できる。
【００７１】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７２】
本発明は、レーザ光を受けて波長変換された光を出射する波長変換部材を備えた発光装置および当該発光装置を制御する制御システムなどに利用することができる。具体的には車両用の前照灯、プロジェクタ、サーチライトなどの特殊照明に利用することができる。
【符号の説明】
【００７３】
１    レーザ素子
５    ミラー（光路変更部材）
６ａ  ミラー駆動部（駆動部）
７    波長変換部材
８    カバー部材
１３ａ  投影レンズ
１３ｂ  投影レンズ
１５    検知部
１００ａ  発光装置
１１５    ミラー（光路変更部材）
１７２    光源制御部
１９１    駆動部制御部
２００ａ，２００ｂ  発光装置
３００    発光装置
５００，６００  制御システム
ＥＮＴ    光導入口
ＥＮＴ１  光導入口
ＥＮＴ２  光導入口
ＥＸＴ    光取り出し口
【図１】
2016208288.tif 000003
【図２】
2016208288.tif 000004
【図３】
2016208288.tif 000005
【図４】
2016208288.tif 000006
【図５】
2016208288.tif 000007
【図６】
2016208288.tif 000008
【図７】
2016208288.tif 000009
【図８】
2016208288.tif 000010
【図９】
2016208288.tif 000011
【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
少なくとも１つのレーザ素子から出射されたレーザ光を受けて波長変換された光を出射する波長変換部材と、
上記レーザ光が導入される少なくとも１つの光導入口と、
上記波長変換部材から出射される光を外部へ取り出すための光取り出し口と、
上記光導入口と対向する位置に配置され、上記光導入口から導入されたレーザ光の光路を上記波長変換部材に向けて変更する少なくとも１つの光路変更部材と、を備え、
上記光導入口と上記光路変更部材とを通る直線が、上記波長変換部材と上記光取り出し口との間に位置し、
上記波長変換部材から上記光取り出し口に至る光路中に光学部品が存在しないことを特徴とする発光装置。
【請求項２】
上記直線は、上記波長変換部材の光出射側の面における何れかの位置に立てた垂線と交わることを特徴とする請求項１に記載の発光装置。
【請求項３】
上記直線は、上記波長変換部材の光出射側の面に対して略平行であることを特徴とする請求項１または２に記載の発光装置。
【請求項４】
上記光取り出し口の近傍に設置され、上記波長変換部材から出射される光を外部へ投影する投影レンズを備えることを特徴とする請求項１から３までの何れか１項に記載の発光装置。
【請求項５】
上記レーザ素子、上記光導入口および上記光路変更部材を、それぞれ複数備えていることを特徴とする請求項１から４までの何れか１項に記載の発光装置。
【請求項６】
上記光導入口および上記光取り出し口を備え、上記波長変換部材を覆うカバー部材を備え、
上記複数の上記光導入口は、共に、上記カバー部材の同一面に設けられていることを特徴とする請求項５に記載の発光装置。
【請求項７】
請求項１から６までの何れか１項に記載の発光装置を制御する制御システムであって、
上記光路変更部材の上記光導入口が存在する側と反対側に配置され、上記光路変更部材を透過した光を検知する検知部と、
上記検知部が検知した光の光量に応じて、上記レーザ素子から出射されるレーザ光の光量を調整する光源制御部と、を備えていることを特徴とする制御システム。
【請求項８】
請求項１から６までの何れか１項に記載の発光装置を制御する制御システムであって、
上記光路変更部材によって光路が変更されたレーザ光の上記波長変換部材の光出射側の面に対する入射位置を変更するように、上記光路変更部材を駆動する駆動部と、
上記駆動部の動作を制御する駆動部制御部と、を備えていることを特徴とする制御システム。
【手続補正２】
【補正対象書類名】明細書
【補正対象項目名】０００８
【補正方法】変更
【補正の内容】
【０００８】
上記の課題を解決するために、本発明の一態様に係る発光装置は、少なくとも１つのレーザ素子から出射されたレーザ光を受けて波長変換された光を出射する波長変換部材と、上記レーザ光が導入される少なくとも１つの光導入口と、上記波長変換部材から出射される光を外部へ取り出すための光取り出し口と、上記光導入口と対向する位置に配置され、上記光導入口から導入されたレーザ光の光路を上記波長変換部材に向けて変更する少なくとも１つの光路変更部材と、を備え、上記光導入口と上記光路変更部材とを通る直線が、上記波長変換部材と上記光取り出し口との間に位置し、上記波長変換部材から上記光取り出し口に至る光路中に光学部品が存在しないことを特徴としている。
【国際調査報告】
2016208288.tif 000012
2016208288.tif 000013
2016208288.tif 000014
2016208288.tif 000015